(57)【要約】      （修正有）【課題】カードに帯電した静電気が放電され、且つカードがコネクタに挿入する途中で一方に偏ることを防止できるカード用コネクタを提供すること。【解決手段】本考案のカード用コネクタは形状および寸法が異なる２種のカードが挿着でき、複数の端子溝が形成されるコネクタ本体１と、前記コネクタ本体を覆い、頂壁を有するフレーム３と、前記コネクタ本体に装着され、コンタクト部を有する導電端子５と、を含む。前記フレームとコネクタ本体との間にカードを収容する収容空間が画成され、前記収容空間の一端に挿入口６１が形成され、前記フレームの頂壁の前記挿入口に近接する一端には、複数の下向きに延在し、カードを押圧するのに用いられる弾性片３１１，３１２，３１３が仕切りとして形成され、前記複数の弾性片により、毎種カードを押圧する押圧力が相互に釣り合う。【選択図】図４
0003115090.tif 000002
【実用新案登録請求の範囲】
【請求項１】
複数の端子溝が形成されるコネクタ本体と、
前記コネクタ本体を覆い、頂壁を有するフレームと、
前記コネクタ本体に装着され、コンタクト部を有する導電端子と、を含むカード用コネクタにおいて、
前記フレームとコネクタ本体との間にカードを収容する収容空間が画成され、
前記収容空間の一端に挿入口が形成され、前記フレームの頂壁の前記挿入口に近接する一端には、複数の下向きに延在し、カードを押圧するのに用いられる弾性片が仕切りとして形成され、前記複数の弾性片により、毎種カードに押圧する押圧力が相互に釣り合うことを特徴とする、形状および寸法が異なる２種のカードが挿着できるカード用コネクタ。
【請求項２】
前記挿入口から見ると、前記複数の弾性片が並設されることを特徴とする、請求項１に記載のカード用コネクタ。
【請求項３】
前記複数の弾性片は少なくとも三つであることを特徴とする、請求項２に記載のカード用コネクタ。
【請求項４】
前記複数の弾性片は、その中の少なくとも二つの弾性片が前記フレームの頂壁の左右側に近接する箇所に形成され、前記収容空間に挿入したカードを押圧するのに用いられ、その中の少なくとも一つの弾性片が前記フレームの頂壁の中央に近接する箇所に形成され、前記他の弾性片と共に前記収容空間に挿入した他種のカードを押圧するのに用いられることを特徴とする、請求項３に記載のカード用コネクタ。
【請求項５】
前記複数の弾性片は、その中の少なくとも二つの弾性片が前記フレームの頂壁の左右側に近接する箇所に形成され、前記収容空間に挿入したカードを押圧するのに用いられ、その中の少なくとも一つの弾性片が前記フレームの頂壁の中央に近接する箇所に形成され、前記他の弾性片と共に前記収容空間に挿入した他種のカードを押圧するのに用いられることを特徴とする、請求項１に記載のカード用コネクタ。
【請求項６】
前記カードは、両側に階段面がそれぞれ形成され、前記弾性片に前記階段面を押す押圧部を有することを特徴とする、請求項５に記載のカード用コネクタ。
【請求項７】
前収容空間は、Ｌ字形状を呈し、矩形形状を呈するカード或はＬ字形状を呈するカードを収容できることを特徴とする、請求項６に記載のカード用コネクタ。
【請求項８】
前記カード用コネクタは、回路基板の接地ラインに接続される保持部材を含むことを特徴とする、請求項７に記載のカード用コネクタ。
【考案の詳細な説明】
【技術分野】
【０００１】
本考案は、カード接続に使用されるカード用コネクタに関し、特に、形状および寸法が異なる２種のカードが挿着できるカード用コネクタに関するものである。
【背景技術】
【０００２】
近年、パーソナルコンピュータやデジタルカメラなどの電子機器の増設記録装置としてカード用コネクタ装置が一般的に使用されている。このカード用コネクタ装置の記憶媒体としては、ＰＣカードやメモリーカード等が広く使用されるようになってきている。カード用コネクタに挿入するカードが静電気に帯電或いはカードを挿入する操作者が静電気に帯電していると、カードを挿入する際、あるいは挿入途中においてカードの接点からカード用コネクタに静電気の放電が起きる場合がある。前記静電気の放電により、カードの接点とカード用コネクタの導電端子との信号の伝送に悪影響が生じる虞がある。
【０００３】
このような問題を解決するために、従来技術のカード用コネクタの一例として、従来技術文献１に開示されたカード用コネクタが知られている。該カード用コネクタは、一端部にカードが挿入される挿入口が形成されるフレームと、このフレームに取り付けられた金属製のカバーと、フレームの他端部に支持されてカードの表面に設けられた接点と接続する導電端子と、を備え、前記カバーには、第１弾性片と、第２弾性片と、第３弾性片と、が三角形状を呈して形成される。前記カードの接点は導電端子と接続しない前に、カードに帯電した静電気が前記弾性片により放電される。且つ、カードを前記挿入口に挿入した際に、前記弾性片がカードを押圧することで、前記カードとカード用コネクタとの間に安定した接続を達成できる（例えば、特許文献１参照）。
【特許文献１】特開２００２-２２２３９２号公報
【考案の開示】
【考案が解決しようとする課題】
【０００４】
しかしながら、カード用コネクタの寸法が異なる、例えば、幅が同じでない２種のカードをそれぞれ挿入したい時、カードの幅が異なることにより、前記弾性片がカードを押す押圧力が釣り合わないことで、挿入されるカードが一方に偏る虞がある。更にカードの接点とカード用コネクタの導電端子との信号の伝送に悪影響が生じた。
【０００５】
そこで、本考案は、以上の点に鑑みて、改良した新型のカード用コネクタを提供することを目的とする。
【０００６】
本考案は、カードに帯電した静電気が放電され、且つカードがコネクタに挿入する途中で一方に偏ることを防止できるカード用コネクタを提供することを目的とする。
【課題を解決するための手段】
【０００７】
前記目的を達成するために、本考案のカード用コネクタは形状および寸法が異なる２種のカードが挿着でき、複数の端子溝が形成されるコネクタ本体と、前記コネクタ本体を覆い、頂壁を有するフレームと、前記コネクタ本体に装着され、コンタクト部を有する導電端子と、を含む。前記フレームとコネクタ本体との間にカードを収容する収容空間が画成され、前記収容空間の一端に挿入口が形成され、前記フレームの頂壁の前記挿入口に近接する一端には、複数の下向きに延在し、カードを押圧するのに用いられる弾性片が仕切りとして形成され、前記複数の弾性片により、毎種カードに押圧する押圧力が相互に釣り合う。
【考案の効果】
【０００８】
従来技術に比べ、本考案は以下の長所がある。カード用コネクタの弾性片は、フレームの頂壁の挿入口に近接する箇所に配置されることにより、収容空間に挿入したカードの静電気が放電され、前記弾性片が毎種カードを押す押圧力が相互に釣り合う。
【考案を実施するための最良の形態】
【０００９】
以下、本考案のカード用コネクタ（以下単に「コネクタ」と略称することもある）の好ましい実施形態について、添付図面を参照して説明する。まず、図１〜図３を参照すれば、コネクタ本体１と、コネクタ本体１に実装するフレーム３と、排出機構４と、コネクタ本体１に装着される導電端子５と、コネクタ本体１に取り付けられ且つフレーム３に接触する保持部材２と、を含み、排出機構４は、コネクタ本体１とフレーム３の一側に摺動可能に取り付けられる。
【００１０】
図２に示すように、前記コネクタ本体１は、左右方向にそれぞれ位置する一体の保持アーム１２と、該一対の保持アーム１２を連接する主体部１１と、を有する。舌片１１１は、前記主体部１１から延在し且つ前記一対の保持アーム１２の間に配置され、コネクタ本体１を貫通し且つ導電端子５を収容するのに用いられる端子溝１１１１が形成される。前記保持アーム１２は、内側にガイド溝１２１が形成され、外側に上下方向に貫通する取付溝１２２が形成される。該コネクタ本体１に取り付けられるガイド部材１３（図３を参照）は、三角形状を呈し、先端にＬ字形状を呈する垂直壁１３１が延在し形成され、該垂直壁１３１が、前記一方の保持アーム１２に保持される。
【００１１】
図２を参照すると、前記保持部材２は金属板からなり、コネクタ本体１の取付溝１２２内に取り付けられ、接触部２１と、接触部２１から外向きに折曲延在する取付部２２と、を含み、前記接触部２１はコネクタ本体１の取付溝１２２内に取り付けられ、前記取付部２２は、回路基板に形成した接地ラインに接続される。
【００１２】
図１〜図３を参照すれば、前記フレーム３は前記保持部材２に接続でき、接地ラインを備える。フレーム３はコネクタ本体１を覆い、且つ前記コネクタ本体１との間にカードを収容する収容空間６を画成し、収容空間６のコネクタ本体１を遠離する一端に挿入口６１が形成される。前記フレーム３は金属板からなり、Ｌ字形状を呈する頂壁３１と、頂壁３１の両側からそれぞれ直角に折曲延在する両側壁即ち左右側壁３２、３２と、前記両側壁３２から内側にそれぞれ直角に折曲延在して対向する折曲壁３３、３３と、を有する。前記ガイド部材１３が前記頂壁３１に貼り付けられ、前記折曲壁３３に、複数の弾性的な延伸片３３１が仕切りとして形成される。
【００１３】
前記頂壁３１は、前記挿入口６１に近接する箇所に第１弾性片３１１と、第２弾性片３１２と、第３弾性片３１３がそれぞれ形成され、その中、第１弾性片３１１が左側壁に近接し、第３弾性片３１３が右側壁に近接し、第２弾性片３１２が第１弾性片３１１と第３弾性片３１３との間に位置し、前記第１弾性片３１１と第２弾性片３１２と第３弾性片３１３が並設される。
【００１４】
図１に示すように、第２弾性片３１２と第１弾性片３１１との間の水平距離はｄ１であり、第２弾性片と第３弾性との間の水平距離はｄ２であり、第１弾性片３１１と第３弾性片との間の水平距離はｄ３であり、その中ｄ３＝ｄ１+ｄ２なる関係があり且つ、ｄ１がｄ２より長い。第２弾性片３１２は、固定端３１２１と、固定端３１２１から延在する自由端３１２２と、固定端３１２１と自由端３１２２とを連接し、下向きに突出する押圧部３１２３と、を含み、前記押圧部３１２３は、カード（図４〜６に示すように、本実施状態でエクスプレス（Ｅｘｐｒｅｓｓ）カードである）７、８に押圧できる。第１弾性片３１１と第３弾性片３１３の構造は第２弾性片３１２と同一であり、更に詳細には説明しない。
【００１５】
図２に示すように、前記排出機構４は、コネクタ本体１とフレーム３との一側に取り付けられ、弾性部材４１と、連動柄４２と、心臓形状を呈するレール４３と、排出レバー４４と、エゼクターレバー４５と、を有する。前記弾性部材４１の一端がフレーム３に連接し、他端が前記連動柄４２に連接する。連動柄４２が前記心臓形状を呈するレール４３に運動でき、エゼクターレバー４５の一端は排出レバー４４に連接し,他端は前記カード７、８に当接できる。この排出機構４のカード７、８を排出する原理は、業界の従来技術と同様であるので、ここでは詳細に説明しない。
【００１６】
前記導電端子５は、前記コネクタ本体１の端子溝１１１１に装着され、コンタクト部５１と、半田付け部５２と、コンタクト部５１と半田付け部５２とを連接する連接部５３とを含み、その中、コンタクト部５１は前記コネクタ本体１の舌板１１１の端子溝１１１１に収容され、カード７、８の接点（参照付号なし）に電気的に接続できる。半田付け部５２は、前記コネクタ本体１の外側に突出し、回路基板の導電パッド（図示せず）に接続できる。
【００１７】
図４を参照すると、カード７は矩形形状を呈し、両側に階段面７１がそれぞれ形成され、その先端は前記導電端子５に接続する接点（図示せず）に配置される。両階段面７１の間の距離は前記ｄ１と同じである。図６を参照して、カード８はＬ字形状を呈し、両側に階段面８１がそれぞれ形成され、その先端は前記導電端子５に接続する接点（図示せず）に配置される。両幅が広い階段面８１の間の距離は前記ｄ３と同じである。
【００１８】
図４及び図５を参照すると、前記カード７が挿入口６１から前記収容空間６に挿入途中に、まず、第２弾性片３１２の押圧部３１２３がカード７の一階段面７１に摺接し、第１弾性片３１１の押圧部（参照付号なし）が他の階段面７１に摺接することにより、カード７に帯電した静電気或いはカード７を挿入する操作者が帯電した静電気が、弾性片と保持部材２及び回路基板の接地ラインを通じて放電される。そこで、カード７の接点と前記導電端子５と電気的に接続する前に静電気が放電され、カード７の接点と前記導電端子５の信号伝送に悪影響を生じる虞を防止できる。また、カード7の両階段面７１の間の距離は前記ｄ１と同じであり、前記第１弾性片３１１と第２弾性片３１２が各階段面７１に押圧する押圧力は釣り合い、そこで、カード７を挿入する途中で一方に偏ることは生じずに、カード７の接点と導電端子５の間の接続が保証される。
【００１９】
図６を参照すると、前記カード８が挿入口６１から前記収容空間６に挿入途中に、まず、第１弾性片３１１の押圧部（参照付号なし）がカード８の一階段面８１に摺接し、第３弾性片３１３の押圧部（参照付号なし）が他階段面８１に摺接することにより、カード８に帯電した静電気或いはカード８を挿入する操作者が帯電した静電気が、弾性片と保持部材２及び回路基板の接地ラインを通じて放電される。そこで、カード８の接点と前記導電端子５と電気的に接続する前に静電気が放電され、カード８の接点と前記導電端子５の信号伝送に悪影響を生じる虞を防止できる。また、カード８の両階段面８１の間の距離は前記ｄ３と同じであり、前記第１弾性片３１１と第３弾性片３１３が各階段面８１を押圧する押圧力は釣り合い、そこで、カード８を挿入する途中で一方に偏ることは生じずに、カード８の接点と導電端子５の間の接続が保証される。
【００２０】
本考案に係るコネクタは、フレーム３に第１弾性片３１１と第２弾性片３１２と第３弾性片３１３が並設することで、カード７が収容空間６内に挿入する際に、前記第１弾性片３１１と第２弾性片３１２に押圧されることにより、カード７に帯電した静電気が放電され、且つ第１弾性片３１１と第２弾性片３１２の押圧する押圧力が釣り合うことで、カード７が挿入する途中で一方に偏ることを防止できる。また、カード８を収容空間６内に挿入する際に、前記第１弾性片３１１と第３弾性片３１３に押圧されることにより、カード８に帯電した静電気が放電され、且つ第１弾性片３１１と第３弾性片３１３の押圧する押圧力が釣り合うことで、カード８が挿入する途中で一方に偏ることを防止できる。そこで、一コネクタには、寸法が異なる、例えば、幅が同じでない２種のカード７、８をそれぞれ挿入する時、前記第１弾性片３１１と第２弾性片３１２と第３弾性片３１３と、により、静電気が放電されるばかりでなく、挿入するカード７、８が一方に偏ることを防止できる。
【００２１】
以上、本考案について最良の実施形態を参照して詳細に説明したが、実施形態はあくまでも例示的なものであり、本考案はこれらに限定されるものではない。また前記の説明は、本考案に基づきなし得る細部の修正或いは変更など、何れも本考案の実用新案登録請求の範囲に属するものとする。
【図面の簡単な説明】
【００２２】
【図１】本考案に係るカード用コネクタの組合せの斜視図である。
【図２】本考案に係るカード用コネクタのフレームをコネクタ本体から取り外した分解斜視図である。
【図３】本考案に係るカード用コネクタの他の角度から見た分解斜視図である。
【図４】本考案に係るカード用コネクタに一種のカードを挿入する途中の斜視図である。
【図５】本考案に係るカード用コネクタに一種のカードを挿入した斜視図である。
【図６】本考案に係るカード用コネクタに他種のカードを挿入した斜視図である。
【符号の説明】
【００２３】
１  コネクタ本体
２  保持部材
３  フレーム
４  排出機構
５  導電端子
６  収容空間カード
１１  主体部
１２  保持アーム
１３  舌片
２１  接触部
２２  取付部
３１  頂壁
３２  側壁
３３  折曲壁
６１  挿入口
７１、８１  階段面
３１１  第１弾性片
３１２  第２弾性片
３１３  第２弾性片
【図１】
0003115090.tif 000003
【図２】
0003115090.tif 000004
【図３】
0003115090.tif 000005
【図４】
0003115090.tif 000006
【図５】
0003115090.tif 000007
【図６】
0003115090.tif 000008